(57)【要約】【課題】カーソルの移動量が多い場合および少ない場合の両方の場合に、操作が煩雑になるのを抑制することが可能な情報再生装置を提供する。【解決手段】このＤＶＤレコーダ（情報再生装置）１００は、制御部１５を含むＤＶＤレコーダ本体１０と、ＤＶＤレコーダ本体１０を遠隔操作するためのリモコン２０とを備えている。そして、リモコン２０は、リモコン２０の移動量を検出するための加速度センサ２３と、通常モードとカーソル操作モードとを切り替えるためのモード切替ボタン２１ａと、通常モード時において、表示装置５００に表示されたカーソルを移動させるためのカーソルボタン２１ｂとを含む。また、ＤＶＤレコーダ本体１０の制御部１５は、カーソル操作モード時において、表示装置５００に表示されたカーソルを加速度センサ２３の検出結果に基づいて移動させるように構成されている。【選択図】図２
2008287810.tif 000002
【特許請求の範囲】
【請求項１】
表示装置と接続され、前記表示装置の表示を制御する制御部を含む情報再生装置本体と、
前記情報再生装置本体を遠隔操作するためのリモコンとを備え、
前記リモコンは、前記リモコンの移動量を検出するための移動量検出センサと、第１のモードと第２のモードとを切り替えるためのモード切替部と、前記第１のモード時において、前記表示装置に表示されたカーソルを移動させるためのカーソル操作部とを含み、
前記情報再生装置本体の制御部は、前記第２のモード時において、前記表示装置に表示されたカーソルを前記移動量検出センサの検出結果に基づいて移動させるように構成されている、情報再生装置。
【請求項２】
前記リモコンは、前記第１のモード時において、前記カーソル操作部の出力に応じたカーソル移動信号を発信するとともに、前記第２のモード時において、前記移動量検出センサの検出結果に応じたカーソル移動信号を発信する発信部をさらに含み、
前記情報再生装置本体は、前記リモコンの発信部から発信されたカーソル移動信号を受信するための第１受信部をさらに含む、請求項１に記載の情報再生装置。
【請求項３】
前記リモコンは、前記表示装置に設けられた第２受信部を介して、前記情報再生装置本体を遠隔操作するように構成されている、請求項１または２に記載の情報再生装置。
【請求項４】
前記移動量検出センサは、加速度センサを含む、請求項１〜３のいずれか１項に記載の情報再生装置。
【請求項５】
表示装置と接続され、前記表示装置の表示を制御する制御部を含む電子機器本体と、
前記電子機器本体を遠隔操作するためのリモコンとを備え、
前記リモコンは、前記リモコンの移動量を検出するための移動量検出センサと、第１のモードと第２のモードとを切り替えるためのモード切替部と、前記第１のモード時において、前記表示装置に表示されたカーソルを移動させるためのカーソル操作部とを含み、
前記電子機器本体の制御部は、前記第２のモード時において、前記表示装置に表示されたカーソルを前記移動量検出センサの検出結果に基づいて移動させるように構成されている、電子機器。
【請求項６】
移動量を検出するための移動量検出センサと、
第１のモードと第２のモードとを切り替えるためのモード切替部と、
前記第１のモード時において、表示装置に表示されたカーソルを移動させるためのカーソル操作部とを備え、
前記第２のモード時において、前記表示装置に表示されたカーソルを前記移動量検出センサの検出結果に基づいて移動させるカーソル移動信号を発信するように構成されている、リモコン。
【発明の詳細な説明】
【技術分野】
【０００１】
本発明は、情報再生装置および電子機器に関し、特に、リモコンを備えた情報再生装置および電子機器に関する。
【背景技術】
【０００２】
従来、リモコンを備えた電子機器および画面操作システムが知られている（たとえば、特許文献１〜３参照）。
【０００３】
上記特許文献１には、表示装置と、慣性センサ（移動量検出センサ）および操作開始ボタン（モード切替部）が設けられたリモコンとを備えた画面操作システムが開示されている。この画面操作システムは、操作開始ボタンがオン状態にされた場合に、表示装置に表示されたカーソルを慣性センサにより検出されたリモコンの移動量に基づいて移動させるように構成されている。
【０００４】
また、上記特許文献２には、複数の受光部が設けられたディスプレイ装置と、縞模様の明暗光を出射する機能を有するとともに、ポインタＳＷ部（モード切替部）が設けられたリモコンとを備えた遠隔制御装置（電子機器）が開示されている。この遠隔制御装置は、ポインタＳＷ部がオン状態にされた場合に、複数の受光部により縞模様の明暗光を受光することによって、リモコンの移動量を検出するとともに、その検出結果に基づいてディスプレイ装置に表示されたカーソルを移動させるように構成されている。
【０００５】
また、上記特許文献３には、ＰＳＤ（Ｐｏｓｉｔｉｏｎ  Ｓｅｎｓｉｎｇ  Ｄｅｔｅｃｔｏｒ：位置検出素子）が設けられた表示装置と、発光素子および移動ボタン（モード切替部）が設けられたポインティング装置（リモコン）とを備えた遠隔制御装置が開示されている。この遠隔制御装置は、移動ボタンがオン状態にされた場合に、ＰＳＤにより発光素子から出射された光を受光することによって、ポインティング装置の移動量を検出するとともに、その検出結果に基づいて表示装置に表示されたカーソルを移動させるように構成されている。
【０００６】
【特許文献１】特開２００５−１２４３３号公報
【特許文献２】特開２００６−２６８２９７号公報
【特許文献３】特開２００６−１５７６３８号公報
【発明の開示】
【発明が解決しようとする課題】
【０００７】
しかしながら、上記特許文献１に開示された従来の画面操作システム、および、上記特許文献２および３に開示された従来の遠隔制御装置では、表示装置に表示されたカーソルをリモコンの移動量に基づいて移動させることによって、カーソルの移動量が多い場合にも、１回の操作でカーソルを移動させることが可能であり、操作を簡易化することができる反面、カーソルの移動量が少ない場合には、リモコンを少しだけ移動させる操作を正確に行うのは容易ではないため、リモコンを移動させる操作がかえって煩わしくなってしまうという問題点がある。
【０００８】
この発明は、上記のような課題を解決するためになされたものであり、この発明の１つの目的は、カーソルの移動量が多い場合および少ない場合の両方の場合に、操作が煩雑になるのを抑制することが可能な情報再生装置および電子機器を提供することである。
【課題を解決するための手段および発明の効果】
【０００９】
上記目的を達成するために、この発明の第１の局面における情報再生装置は、表示装置と接続され、表示装置の表示を制御する制御部を含む情報再生装置本体と、情報再生装置本体を遠隔操作するためのリモコンとを備え、リモコンは、リモコンの移動量を検出するための移動量検出センサと、第１のモードと第２のモードとを切り替えるためのモード切替部と、第１のモード時において、表示装置に表示されたカーソルを移動させるためのカーソル操作部とを含み、情報再生装置本体の制御部は、第２のモード時において、表示装置に表示されたカーソルを移動量検出センサの検出結果に基づいて移動させるように構成されている。
【００１０】
この発明の第１の局面による情報再生装置では、上記のように、リモコンの移動量を検出するための移動量検出センサと、第１のモードと第２のモードとを切り替えるためのモード切替部と、第１のモード時において、表示装置に表示されたカーソルを移動させるためのカーソル操作部とを含むリモコンを設けるとともに、第２のモード時において、表示装置に表示されたカーソルを移動量検出センサの検出結果に基づいて移動させるように構成することによって、カーソルの移動量が多い場合には、ユーザはモード切替部を用いて第２のモードに設定してリモコンを移動させることにより、表示装置に表示されたカーソルを１回の操作で移動させることができるとともに、カーソルの移動量が少ない場合には、ユーザはモード切替部を用いて第１のモードに設定してカーソル操作部を操作することにより、表示装置に表示されたカーソルを簡単な操作で正確に移動させることができる。その結果、カーソルの移動量が多い場合および少ない場合の両方の場合に、操作が煩雑になるのを抑制することができるので、ユーザがカーソルを操作する際の負担を減少させることができる。
【００１１】
上記第１の局面による情報再生装置において、好ましくは、リモコンは、第１のモード時において、カーソル操作部の出力に応じたカーソル移動信号を発信するとともに、第２のモード時において、移動量検出センサの検出結果に応じたカーソル移動信号を発信する発信部をさらに含み、情報再生装置本体は、リモコンの発信部から発信されたカーソル移動信号を受信するための第１受信部をさらに含む。このように構成すれば、リモコンの発信部から発信されたカーソル移動信号を情報再生装置本体の第１受信部が受信することにより、容易に、情報再生装置本体の制御部が表示装置に表示されたカーソルを移動させることができる。
【００１２】
上記第１の局面による情報再生装置において、好ましくは、リモコンは、表示装置に設けられた第２受信部を介して、情報再生装置本体を遠隔操作するように構成されている。このように構成すれば、情報再生装置本体がリモコンから発信されたカーソル移動信号を受信することが困難な場合にも、リモコンから発信されたカーソル移動信号を表示装置の第２受信部を介して情報再生装置本体に供給することができるので、ユーザがリモコンを用いて表示装置に表示されたカーソルを操作することができる。また、ユーザはリモコンを表示装置に向けた状態でカーソルの操作を行うことができるので、容易に、表示装置に表示されたカーソルを視認しながら操作することができる。
【００１３】
上記第１の局面による情報再生装置において、好ましくは、移動量検出センサは、加速度センサを含む。このように構成すれば、加速度センサにより、容易に、リモコンの移動量を検出することができる。
【００１４】
この発明の第２の局面における電子機器は、表示装置と接続され、表示装置の表示を制御する制御部を含む電子機器本体と、電子機器本体を遠隔操作するためのリモコンとを備え、リモコンは、リモコンの移動量を検出するための移動量検出センサと、第１のモードと第２のモードとを切り替えるためのモード切替部と、第１のモード時において、表示装置に表示されたカーソルを移動させるためのカーソル操作部とを含み、電子機器本体の制御部は、第２のモード時において、表示装置に表示されたカーソルを移動量検出センサの検出結果に基づいて移動させるように構成されている。
【００１５】
この発明の第２の局面による電子機器では、上記のように、リモコンの移動量を検出するための移動量検出センサと、第１のモードと第２のモードとを切り替えるためのモード切替部と、第１のモード時において、表示装置に表示されたカーソルを移動させるためのカーソル操作部とを含むリモコンを設けるとともに、第２のモード時において、表示装置に表示されたカーソルを移動量検出センサの検出結果に基づいて移動させるように構成することによって、カーソルの移動量が多い場合には、ユーザはモード切替部を用いて第２のモードに設定してリモコンを移動させることにより、表示装置に表示されたカーソルを１回の操作で移動させることができるとともに、カーソルの移動量が少ない場合には、ユーザはモード切替部を用いて第１のモードに設定してカーソル操作部を操作することにより、表示装置に表示されたカーソルを簡単な操作で正確に移動させることができる。その結果、カーソルの移動量が多い場合および少ない場合の両方の場合に、操作が煩雑になるのを抑制することができるので、ユーザがカーソルを操作する際の負担を減少させることができる。
【００１６】
この発明の第３の局面におけるリモコンは、移動量を検出するための移動量検出センサと、第１のモードと第２のモードとを切り替えるためのモード切替部と、第１のモード時において、表示装置に表示されたカーソルを移動させるためのカーソル操作部とを備え、第２のモード時において、表示装置に表示されたカーソルを移動量検出センサの検出結果に基づいて移動させるカーソル移動信号を発信するように構成されている。
【００１７】
この発明の第３の局面によるリモコンでは、上記のように、移動量を検出するための移動量検出センサと、第１のモードと第２のモードとを切り替えるためのモード切替部と、第１のモード時において、表示装置に表示されたカーソルを移動させるためのカーソル操作部とを設けるとともに、第２のモード時において、表示装置に表示されたカーソルを移動量検出センサの検出結果に基づいて移動させるカーソル移動信号を発信するように構成することによって、カーソルの移動量が多い場合には、ユーザはモード切替部を用いて第２のモードに設定してリモコンを移動させることにより、表示装置に表示されたカーソルを１回の操作で移動させることができるとともに、カーソルの移動量が少ない場合には、ユーザはモード切替部を用いて第１のモードに設定してカーソル操作部を操作することにより、表示装置に表示されたカーソルを簡単な操作で正確に移動させることができる。その結果、カーソルの移動量が多い場合および少ない場合の両方の場合に、操作が煩雑になるのを抑制することができるので、ユーザがカーソルを操作する際の負担を減少させることができる。
【発明を実施するための最良の形態】
【００１８】
以下、本発明の実施形態を図面に基づいて説明する。
【００１９】
（第１実施形態）
図１および図２は、本発明の第１実施形態によるＤＶＤレコーダおよび表示装置の全体構成を示した図である。図３は、図１に示した第１実施形態によるＤＶＤレコーダのリモコンを示した平面図である。まず、図１〜図３を参照して、本発明の第１実施形態によるＤＶＤレコーダの構成について説明する。なお、第１実施形態では、情報再生装置および電子機器の一例であるＤＶＤレコーダ１００に本発明を適用した場合について説明する。
【００２０】
本発明の第１実施形態によるＤＶＤレコーダ１００は、図１に示すように、ＤＶＤレコーダ本体１０と、ＤＶＤレコーダ本体１０を遠隔操作するためのリモコン２０とを備えている。ＤＶＤレコーダ本体１０は、テレビ放送された情報などをＤＶＤ（図示せず）に記録するとともに、ＤＶＤを再生する機能を有する。また、ＤＶＤレコーダ本体１０の近傍には、ＤＶＤレコーダ本体１０から出力される情報を表示するための表示装置５００が設けられている。なお、ＤＶＤレコーダ本体１０は、本発明の「情報再生装置本体」および「電子機器本体」の一例である。
【００２１】
また、第１実施形態では、ＤＶＤレコーダ本体１０の前面には、リモコン２０から出射された光を受光するための受光部１１が設けられている。この受光部１１は、ＤＶＤレコーダ本体１０を遠隔操作するための各種信号を受信する機能を有する。なお、受光部１１は、本発明の「第１受信部」の一例である。また、ＤＶＤレコーダ本体１０は、図２に示すように、アンテナ５１０を介してテレビ放送を受信するための放送用受信部１２と、受信したテレビ放送などの情報をＤＶＤに記録するとともに、ＤＶＤを再生するために設けられたＤＶＤ部１３と、ＤＶＤに記録された情報を表示装置５００に出力するための入出力部１４と、ＤＶＤレコーダ本体１０の動作を制御するための制御部１５とを含んでいる。ＤＶＤ部１３は、ディスクトレイおよび光ピックアップなどにより構成されている。また、ＤＶＤ部１３は、ディスクトレイに載置されるＤＶＤを取り替え可能に構成されている。
【００２２】
また、第１実施形態では、リモコン２０の表面には、図３に示すように、ＤＶＤレコーダ本体１０を操作するための複数の操作ボタン２１が設けられている。具体的には、リモコン２０の表面には、通常モードおよびカーソル操作モードを切り替えるためのモード切替ボタン２１ａ、通常モード時において、表示装置５００の表示部５０１（図１参照）に表示されたカーソルを移動させるためのカーソルボタン２１ｂ、選択した項目を決定するための決定ボタン２１ｃなどが設けられている。なお、モード切替ボタン２１ａおよびカーソルボタン２１ｂは、それぞれ、本発明の「モード切替部」および「カーソル操作部」の一例である。また、通常モードおよびカーソル操作モードは、それぞれ、本発明の「第１のモード」および「第２のモード」の一例である。
【００２３】
また、第１実施形態では、リモコン２０の前端部には、操作ボタン２１の出力に応じて光（たとえば、赤外線）を出射する発光部２２が設けられている。この発光部２２は、ＤＶＤレコーダ本体１０を遠隔操作するための各種信号を発信する機能を有する。なお、発光部２２は、本発明の「発信部」の一例である。また、リモコン２０は、図２に示すように、リモコン２０の移動量を検出するための加速度センサ２３と、リモコン２０の動作を制御するための制御部２４とを含んでいる。この制御部２４は、モード切替ボタン２１ａがオン状態のときに、加速度センサ２３を動作させるように構成されている。そして、制御部２４は、モード切替ボタン２１ａがオン状態になった際の加速度センサ２３の出力により、リモコン２０の初期状態を算出する機能を有する。また、制御部２４は、モード切替ボタン２１ａがオン状態の間における加速度センサ２３の出力により、リモコン２０の初期状態からの移動量を算出する機能を有する。なお、加速度センサ２３は、本発明の「移動量検出センサ」の一例である。
【００２４】
また、第１実施形態では、リモコン２０は、モード切替ボタン２１ａがオフ状態の場合に、通常モードになるとともに、モード切替ボタン２１ａがオン状態の場合に、カーソル操作モードになるように構成されている。また、リモコン２０は、通常モード時に、表示部５０１に表示されたカーソルを押されたカーソルボタン２１ｂと対応する方向に移動させるカーソル移動信号を出力するように構成されている。また、リモコン２０は、カーソル操作モード時に、加速度センサ２３の検出結果に応じたカーソル移動信号を出力するように構成されている。なお、このカーソル移動信号は、たとえば、表示部５０１に表示されたカーソルを、リモコン２０が移動した方向と同じ方向にリモコン２０の移動量と対応する距離だけ移動させるようなカーソル移動信号である。そして、ＤＶＤレコーダ本体１０は、受光部１１を介して受信したカーソル移動信号に基づいて表示部５０１に表示されたカーソルを移動させるように構成されている。
【００２５】
また、第１実施形態では、リモコン２０は、通常モード時に、決定ボタン２１ｃが押された場合に、決定信号を送信するように構成されている。また、リモコン２０は、モード切替ボタン２１ａがオン状態からオフ状態になった場合に、決定信号を送信するように構成されている。そして、ＤＶＤレコーダ本体１０は、受光部１１を介して決定信号を受信した場合に、表示部５０１に表示されたカーソルが選択している項目に決定するように構成されている。
【００２６】
図４は、本発明の第１実施形態によるＤＶＤレコーダの項目選択動作を説明するためのフローチャートである。次に、図１、図２および図４を参照して、本発明の第１実施形態によるＤＶＤレコーダ１００の項目選択動作について説明する。なお、項目選択動作とは、たとえば、ＤＶＤに記録された複数の情報から再生する情報を選択する際の動作である。
【００２７】
まず、リモコン２０（図２参照）では、図４のステップＳ１において、制御部２４（図２参照）により、モード切替ボタン２１ａ（図２参照）がオン状態か否かが判断される。
【００２８】
そして、ステップＳ１において、制御部２４により、モード切替ボタン２１ａがオン状態であると判断された場合には、ステップＳ２において、制御部２４により、発光部２２（図２参照）から加速度センサ２３（図２参照）の出力に応じたカーソル移動信号が送信される。なお、このカーソル移動信号は、リモコン２０の初期状態、および、初期状態からの移動量の情報を含む。その後、ステップＳ３において、制御部２４により、モード切替ボタン２１ａがオフ状態になったか否かが判断される。そして、制御部２４により、モード切替ボタン２１ａがオフ状態になったと判断された場合には、ステップＳ４に進む。その一方、制御部２４により、モード切替ボタン２１ａがオン状態のままである判断された場合には、ステップＳ２が繰り返し行われる。
【００２９】
その一方、ステップＳ１において、制御部２４により、モード切替ボタン２１ａがオン状態でないと判断された場合には、ステップＳ５において、制御部２４により、カーソルボタン２１ｂ（図２参照）が押されたか否かが判断される。そして、制御部２４により、カーソルボタン２１ｂが押されたと判断された場合には、ステップＳ６において、制御部２４により、発光部２２から押されたカーソルボタン２１ｂに応じたカーソル移動信号が送信される。その後、ステップＳ７に進む。その一方、制御部２４により、カーソルボタン２１ｂが押されていない判断された場合には、ステップＳ７に進む。
【００３０】
また、ＤＶＤレコーダ本体１０（図２参照）では、図４のステップＳ１１において、制御部１５（図２参照）により、受光部１１（図２参照）がカーソル移動信号を受信したか否かが判断される。そして、制御部１５により、受光部１１がカーソル移動信号を受信したと判断された場合には、ステップＳ１２において、制御部１５により、受信したカーソル移動信号に基づいて表示部５０１（図１参照）に表示されたカーソルを移動させる。その後、ステップＳ１３に進む。その一方、制御部１５により、受光部１１がカーソル移動信号を受信していない判断された場合には、ステップＳ１３に進む。
【００３１】
次に、リモコン２０では、ステップＳ７において、制御部２４により、決定ボタン２１ｃ（図２参照）が押されたか否かが判断される。そして、制御部２４により、決定ボタン２１ｃが押されたと判断された場合には、ステップＳ４に進む。その一方、決定ボタン２１ｃが押されていないと判断された場合には、ステップＳ１に戻る。
【００３２】
その後、ステップＳ４において、制御部２４により、発光部２２から決定信号が送信され、項目選択動作が終了する。
【００３３】
また、ＤＶＤレコーダ本体１０では、ステップＳ１３において、制御部１５により、受光部１１が決定信号を受信したか否かが判断される。そして、制御部１５により、受光部１１が決定信号を受信した判断された場合には、ステップＳ１４において、制御部１５により、カーソルに選択されている項目が決定され、項目選択動作が終了する。その一方、制御部１５により、受光部１１が決定信号を受信していないと判断された場合には、ステップＳ１１に戻る。
【００３４】
第１実施形態では、上記のように、加速度センサ２３と、モード切替ボタン２１ａと、カーソルボタン２１ｂとを含むリモコン２０を設けるとともに、カーソル操作モード時において、表示装置５００の表示部５０１に表示されたカーソルを加速度センサ２３の検出結果に基づいて移動させるように構成することによって、図５に示した項目１から項目２０までカーソルを移動させるようなカーソルの移動量が多い場合には、ユーザはモード切替ボタン２１ａを用いてカーソル操作モードに設定してリモコン２０を移動させることにより、図６に示すように、表示部５０１に表示されたカーソルを１回の操作で移動させることができるとともに、図５に示した項目１から項目２までカーソルを移動させるようなカーソルの移動量が少ない場合には、ユーザはモード切替ボタン２１ａを用いて通常モードに設定してカーソルボタン２１ｂを操作することにより、図７に示すように、表示部５０１に表示されたカーソルを簡単な操作で正確に移動させることができる。その結果、カーソルの移動量が多い場合および少ない場合の両方の場合に、操作が煩雑になるのを抑制することができるので、ユーザがカーソルを操作する際の負担を減少させることができる。
【００３５】
また、第１実施形態では、加速度センサ２３を設けることによって、容易に、リモコン２０の移動量を検出することができる。
【００３６】
（第２実施形態）
図８および図９は、本発明の第２実施形態によるＤＶＤレコーダおよび表示装置の全体構成を示した図である。図８および図９を参照して、この第２実施形態では、上記第１実施形態と異なり、表示装置５００を介してＤＶＤレコーダ本体２１０を遠隔操作するＤＶＤレコーダ２００の構成について説明する。
【００３７】
この第２実施形態によるＤＶＤレコーダ２００は、図８に示すように、ＤＶＤレコーダ本体２１０と、ＤＶＤレコーダ本体２１０を遠隔操作するためのリモコン２０とを備えている。なお、ＤＶＤレコーダ本体２１０は、本発明の「情報再生装置本体」および「電子機器本体」の一例である。
【００３８】
ここで、第２実施形態では、ＤＶＤレコーダ本体２１０は、図９に示すように、ＤＶＤに記録された情報を表示装置５００に出力するとともに、ＤＶＤレコーダ本体２１０を遠隔操作するための各種信号を表示装置５００から受信する機能を有する入出力部２１４を含んでいる。なお、ＤＶＤレコーダ本体２１０のその他の構成は、上記第１実施形態のＤＶＤレコーダ本体１０と同様である。
【００３９】
また、図８に示すように、表示装置５００の前面には、リモコン２０から出射された光を受光するための受光部５０２が設けられている。この受光部５０２は、ＤＶＤレコーダ本体２１０を遠隔操作するための各種信号を受信する機能を有する。なお、受光部５０２は、本発明の「第２受信部」の一例である。また、表示装置５００は、図９に示すように、ＤＶＤレコーダ本体２１０から出力された情報が入力される入出力部５０３と、表示装置５００の動作を制御するための制御部５０４とを含んでいる。また、入出力部５０３は、ＤＶＤレコーダ本体２１０を遠隔操作するための各種信号をＤＶＤレコーダ本体２１０に転送する機能を有する。
【００４０】
なお、第２実施形態のその他の構成は、上記第１実施形態と同様である。
【００４１】
図１０は、本発明の第２実施形態によるＤＶＤレコーダの項目選択動作を説明するためのフローチャートである。次に、図８、図９および図１０を参照して、本発明の第２実施形態によるＤＶＤレコーダ２００の項目選択動作について説明する。なお、リモコン２０の制御フローは、上記第１実施形態と同様である。
【００４２】
まず、表示装置５００（図９参照）では、図１０のステップＳ２１において、制御部５０４（図９参照）により、受光部５０２（図８参照）がカーソル移動信号を受信したか否かが判断される。そして、制御部５０４により、受光部５０２がカーソル移動信号を受信したと判断された場合には、ステップＳ２２において、制御部５０４により、受信したカーソル移動信号が入出力部５０３（図９参照）を介してＤＶＤレコーダ本体２１０（図９参照）に転送される。その後、ステップＳ２３に進む。その一方、制御部５０４により、受光部５０２がカーソル移動信号を受信していない判断された場合には、ステップＳ２３に進む。
【００４３】
また、ＤＶＤレコーダ本体２１０では、図１０のステップＳ１１において、制御部１５（図９参照）により、入出力部２１４（図９参照）がカーソル移動信号を受信したか否かが判断される。そして、制御部１５により、入出力部２１４がカーソル移動信号を受信したと判断された場合には、ステップＳ１２において、制御部１５により、受信したカーソル移動信号に基づいて表示部５０１（図８参照）に表示されたカーソルを移動させる。その後、ステップＳ１３に進む。その一方、制御部１５により、入出力部２１４がカーソル移動信号を受信していない判断された場合には、ステップＳ１３に進む。
【００４４】
次に、表示装置５００では、ステップＳ２３において、制御部５０４により、受光部５０２が決定信号を受信したか否かが判断される。そして、制御部５０４により、受光部５０２が決定信号を受信した判断された場合には、ステップＳ２４において、制御部５０４により、受信した決定信号が入出力部５０３を介してＤＶＤレコーダ本体２１０に転送され、処理が終了する。その一方、制御部５０４により、受光部５０２が決定信号を受信していないと判断された場合には、ステップＳ２１に戻る。
【００４５】
また、ＤＶＤレコーダ本体２１０では、ステップＳ１３において、制御部１５により、入出力部２１４が決定信号を受信したか否かが判断される。そして、制御部１５により、入出力部２１４が決定信号を受信した判断された場合には、ステップＳ１４において、制御部１５により、カーソルに選択されている項目が決定され、項目選択動作が終了する。その一方、制御部１５により、入出力部２１４が決定信号を受信していないと判断された場合には、ステップＳ１１に戻る。
【００４６】
第２実施形態では、上記のように、表示装置５００に設けられた受光部５０２を介してＤＶＤレコーダ本体２１０を遠隔操作する各種信号を受信するように構成することによって、ＤＶＤレコーダ本体２１０がリモコン２０から発信されたカーソル移動信号を受信することが困難な場合にも、リモコン２０から発信されたカーソル移動信号を表示装置５００の受光部５０２を介してＤＶＤレコーダ本体２１０に供給することができるので、ユーザがリモコン２０を用いて表示装置５００に表示されたカーソルを操作することができる。また、ユーザはリモコン２０の発光部２２を表示装置５００に向けた状態でカーソルの操作を行うことができるので、容易に、表示部５０１に表示されたカーソルを視認しながら操作することができる。
【００４７】
なお、第２実施形態のその他の効果は、上記第１実施形態と同様である。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
たとえば、上記第１および第２実施形態では、情報再生装置および電子機器の一例としてＤＶＤレコーダを示したが、本発明はこれに限らず、ＨＤＤレコーダなどのその他の情報再生装置および電子機器にも本発明を適用可能である。また、表示装置などのその他の電子機器にも本発明を適用可能である。
【００５０】
また、上記第１および第２実施形態では、リモコン２０の移動量を検出するために加速度センサ２３を設ける例を示したが、本発明はこれに限らず、リモコンの移動量を検出するために角速度センサ（ジャイロセンサ）を設けてもよい。
【００５１】
また、上記第１および第２実施形態では、モード切替ボタン２１ａがオフ状態になった場合に決定信号を送信するようにリモコン２０を構成したが、本発明はこれに限らず、モード切替ボタン２１ａがオフ状態になった後に決定ボタン２１ｃが押された場合に、決定信号を送信するようにリモコン２０を構成してもよい。
【００５２】
また、上記第１および第２実施形態では、リモコン２０にモード切替ボタン２１ａを設ける例を示したが、本発明はこれに限らず、リモコンにモード切替用のスライドスイッチを設けてもよい。
【図面の簡単な説明】
【００５３】
【図１】本発明の第１実施形態によるＤＶＤレコーダおよび表示装置の全体構成を示した斜視図である。
【図２】図１に示した第１実施形態によるＤＶＤレコーダおよび表示装置の全体構成を示したブロック図である。
【図３】図１に示した第１実施形態によるＤＶＤレコーダのリモコンを示した平面図である。
【図４】本発明の第１実施形態によるＤＶＤレコーダの項目選択動作を説明するためのフローチャートである。
【図５】表示装置の表示部に表示されたカーソルの移動について説明するための図である。
【図６】表示装置の表示部に表示されたカーソルの移動について説明するための図である。
【図７】表示装置の表示部に表示されたカーソルの移動について説明するための図である。
【図８】本発明の第２実施形態によるＤＶＤレコーダおよび表示装置の全体構成を示した斜視図である。
【図９】図８に示した第２実施形態によるＤＶＤレコーダおよび表示装置の全体構成を示したブロック図である。
【図１０】本発明の第２実施形態によるＤＶＤレコーダの項目選択動作を説明するためのフローチャートである。
【符号の説明】
【００５４】
１０、２１０  ＤＶＤレコーダ本体（情報再生装置本体、電子機器本体）
１１  受光部（第１受信部）
１５  制御部
２０  リモコン
２１ａ  モード切替ボタン（モード切替部）
２１ｂ  カーソルボタン（カーソル操作部）
２２  発光部（発信部）
２３  加速度センサ（移動量検出センサ）
１００、２００  ＤＶＤレコーダ（情報再生装置、電子機器）
５００  表示装置
５０２  受光部（第２受信部）
【図１】
2008287810.tif 000003
【図２】
2008287810.tif 000004
【図３】
2008287810.tif 000005
【図４】
2008287810.tif 000006
【図５】
2008287810.tif 000007
【図６】
2008287810.tif 000008
【図７】
2008287810.tif 000009
【図８】
2008287810.tif 000010
【図９】
2008287810.tif 000011
【図１０】
2008287810.tif 000012